(57)【特許請求の範囲】
【請求項１】
断面が四角形で水平位置にある木軸の両側面および上面を所定幅で所定深さ切り取った部分を被覆するコの字状をなす被覆部と、被覆部の直立面の下端から直角方向に延長した直交部、および直交部に直立する直立部とからなり、被覆部の両直立面はそれらの延長方向に突出した突出部を有し、突出部には有孔突出片を接合してあり、直立部および突出部にボルト孔を有するものと、直交部の両端に直立する直交両片にボルト孔を有するＬ字形片との組み合わせからなる、水平位置で直交する木軸を接合する金属板よりなる木軸の接合具。
【請求項２】
その開口側を上にしたＣ形鋼に対し、その頂面と同じ高さで２個の所定長さの直交する直立片をＣ形鋼の中心において交差するようＣ形鋼と平行直角に固定し、一方の直立片の頂部中央を所定幅で所定長さ延長してあり、これらそれぞれにボルト孔を有し、Ｃ形鋼の頂面角部に有孔突出片を接合してあることからなる、土台の木軸と直立する木軸を接合するＣ形鋼および金属板よりなる木軸の接合具。
【発明の詳細な説明】
【０００１】
【発明の属する技術分野】
本発明は木軸の接合具に関する。
【０００２】
【従来の技術】
従来、家屋の土台や柱、梁などの木軸用に各種木材が使用され、多種類の寸法のものが用意されている。このため、それらに見合う大きさの樹木が必要となり、その資源には限界がある。木軸のうち、とくに梁はとばし幅により大きさが異なり、３６４０ｍｍ以上のスパンに対しては問題があるとされている。そして、これらの軸組は高価な設備により、予め切込みがなされたものを使用しておこなわれ、工法が複雑であり、多くの手間を要する。また、複雑な軸組部の形状に対する断熱措置が煩雑である。
【０００３】
【発明が解決しようとする課題】
本発明は複雑な軸組とこれに要する高価な設備をともに使用することなく、できるだけ単純な軸組により、その種類を少なくし、作業を省力化したい。また、大断面や接続強化を容易にして、３６４０ｍｍ以上のスパン取りをしたい。したがって、本発明はこれらを可能にする木軸の接合具を提供せんとするものである。
【０００４】
【課題を解決するための手段】
ここにおいて本発明者は、第１に断面が四角形で直立する木軸の１組の交差する側面の３個所の角部から所定の上下幅で２等辺三角柱を切取った部分およびこの側面を同じ上下幅で所定深さ切取った部分を被覆する被覆部と、被覆部の下端を直角方向に延長した直交部および直交部に直立する直立部とからなり、被覆部中央の角部と直立部にボルト孔を有する、直立する木軸に直交する木軸を接合する金属板よりなる木軸の接合具を見出した。
【０００５】
また、第２に断面が四角形で水平位置にある木軸の両側面および上面を所定幅で所定深さ切取った部分を被覆するコの字状をなす被覆部と、被覆部の直立面の下端から直角方向に延長した直交部、および直交部に直立する直立部とからなり、被覆部の両直立面はそれらの延長方向に突出した突出部を有し、突出部には有孔突出片を接合してあり、直立部および突出部にボルト孔を有するものと、直交部の両端に直立する直交両片にボルト孔を有するＬ字形片との組合わせからなる、水平位置で直交する木軸を接合する金属板よりなる木軸の接合具を見出した。
【０００６】
そして、第３にその開口側を上にしたＣ形鋼に対し、その頂面と同じ高さで２個の所定長さの直交する直立片をＣ形鋼の中心において交差するようＣ形鋼と平行直角に固定し、一方の直立片の頂部中央を所定幅で所定長さ延長してあり、これらそれぞれにボルト孔を有し、Ｃ形鋼の頂面角部に有孔突出片を接合してあることからなる、土台の木軸と直立する木軸を接合するＣ形鋼および金属板よりなる木軸の接合具を見出すにいたった。
【０００７】
【発明の実施の形態】
本発明において使用する木軸の接合具は、パネル等の接合の際、障害とならぬように、接合された木軸の面に突出物が生じないように留意されたものである。また、金属板は亜鉛メッキ等により防錆処理をほどこした鉄鋼を使用するのが望ましい。
【０００８】
〔直立する木軸に直交する木軸を接合する場合〕
直立する木軸に直交する木軸を接合するため、まず、直立する木軸に接合具を固定するには、あらかじめ、直立する木軸の１組の交差する側面の３個所の角部から所定の上下幅で２等辺三角柱を切取った部分、およびこの側面を同じ上下幅で接合具の金属板の厚さに相当する深さに切取った部分を被覆する被覆部と、被覆部の下端を直角方向に延長した直交部および直交部に直立する直立部とからなり、被覆部中央の角部と直立部にボルト孔を有する接合具を所定に切取った木軸にあて、被覆部中央の角部にあるボルト孔から木軸の対向角部に貫通孔を開け、ボルトを通してナットで締めつける。
【０００９】
直立する木軸に直交する木軸を接合具の直立部に差し込むため、その木軸に切り溝を入れる。木軸を直立部に差し込んでから、直立部のボルト孔に木軸の両側面からボルトを通し、ナットで締めつける。
【００１０】
仕上げに、直立する木軸に直交する木軸間に火打ち梁をあててボルトで固定するが、火打ち梁に対しても中心位置にボルト孔を設けておき、直立する木軸の対向角部に向けて通したボルトの頭部に設けてあるフックに連結したボルトを通し、ナットをあてて締めつけ、直立する木軸に直交する木軸を継続して引き寄せ、接合を強固にする。このため、木軸に切り溝を入れる際は木軸が移動しやすく余裕をもたせる。なお、ナットにはいずれもスプリング座金を入れ，締めつけを継続させる。
【００１１】
直立する木軸に隣接して直交する木軸２個を接合する場合は、上記の接合具がそのまま使用できる。直立する木軸に十文字状に４個の直交する木軸を接合する場合は、上記の接合具を２個使用し、木軸の対角部に接する、そのボルト孔を有しない被覆部の角部間隔調整済みのものを重ねて用いる。また、直立する木軸に上から見てＴ字状に３個が直交する木軸を接合する場合は、２個目の接合具から直交部および直立部を１対省略すればよい。直立する木軸に対向して直交する木軸２個を十文字状に接合する場合は、１個の接合具から直交部および直立部を１対省略した接合具を２個使用し、木軸の対角部に接する、そのボルト孔を有しない被覆部の角部間隔調整済みのものを重ねて用いる。直立する木軸に１個の直交する木軸を接合する場合は、１個の接合具から直交部および直立部を１対省略すればよい。
【００１２】
〔水平位置で直交する木軸を接合する場合〕
水平位置で直交する木軸を接合するため、まず、水平にある木軸に接合具を固定するには、水平にある木軸の両側面および上面を所定幅で接合具の金属板の厚さに相当する深さ、およびこれにボルトの頭部を加えた厚さに相当する深さにそれぞれ切取った部分を被覆するコの字状をなす被覆部と、被覆部の直立面の下端から直角方向に延長した直交部、および直交部に直立する直立部とからなり、被覆部の両直立面はそれらの延長方向に突出した突出部を有し、突出部には有孔突出片を接合してあり、直立部および突出部にボルト孔を有する接合具を所定に切取った木軸にあて、突出部のボルト孔間にボルトを通し、ナットで締めつける。
【００１３】
水平にある木軸に対しＴ字状に直交する木軸を接合する場合は、直交部は被覆部の一方の直立面の下端から直角方向に延長したものだけで足りるが、水平にある木軸に対し両側から十文字状に直交する木軸を接合する場合は、被覆部の両方の直立面の下端から直角方向に延長した直交部を設ければよい。
【００１４】
直交する側の木軸は切り溝を入れてから直立部に差し込み、同時に直交部の両端に直立する直交両片にボルト孔を有するＬ字形片にその対向側面をあて、Ｌ字形片のボルト孔と直立部のボルト孔間にボルトを通してナットで締めつける。Ｌ字形片の他方の孔には、さきに水平にある木軸に対し接合具を取り付けた際のボルトの延長を通し、ナットをあてて締めつけ、木軸の接合を強固にする。なお、以上のナットにはいずれもスプリング座金を入れ，締めつけを継続させる。木軸の乾燥等による変形に対応させるため、ナットの締めつけを継続させるが、そのため、直立部のボルト孔を長孔にしておき、木軸に切り溝を入れる際は木軸が移動しやすく余裕をもたせる。
【００１５】
仕上げに、木軸相互間に火打ち梁をあててボルトで固定するが、火打ち梁に対しては中心位置にボルト孔を設けておき、突出部に接合してある有孔突出片の孔にフックを有するボルトを連結し、他端にナットをあてて締めつけ、水平にある木軸に直交する木軸を継続して引寄せ、両者の接合を強固にする。このナットにもスプリング座金を入れ，締めつけを継続させる。
【００１６】
〔土台の木軸と直立する木軸を接合する場合〕
土台の木軸と直立する木軸を接合するため、まず、その開口側を上にしたＣ形鋼（形状を意味し、必ずしも規格のものをさすとは限らない）に対し、その頂面と同じ高さで２個の所定長さの直交する直立片をＣ形鋼の中心で交差するようＣ形鋼と平行直角に嵌合や溶接等により固定し、一方の直立片の頂部中央を所定幅で所定長さ延長してあり、これらそれぞれにボルト孔を有する接合具のＣ形鋼の底板を基礎に載せ、そのアンカ−ボルトにナットで締めつけ接合具を固定する。
【００１７】
直立する木軸を接合具に固定するには、その切り溝を入れた下方をＣ形鋼上に突出している直立片に嵌合し、Ｃ形鋼の頂面上に載置する。これを固定するには、あらかじめ木軸の対向する角を切取りそれぞれ交差部を形成してある交差部間にボルトを通し、ナットで緊締する。したがって、介在する直立片のボルト孔は長孔としておき、ボルトが通過しやすくしておく。
【００１８】
土台の木軸は基礎上で固定された上、Ｃ形鋼に接して載置し固定される。そのため、木軸にあらかじめ直立片と嵌合させる切り溝を設けておき、直立片のボルト孔に木軸の両面からボルトを通し、ナットで締めつける。
【００１９】
仕上げに、土台の直交する木軸間に火打ち土台をあててボルトで固定するが、そのため、Ｃ形鋼の頂面角部に接合してある有孔突出片の孔に対し、ボルトに設けたフックを連結し、火打ち土台梁の中心位置に設けたボルト孔にボルトの他端を通し、ナットで締めつけ、土台の直交する木軸を直立する木軸に継続して引寄せ相互の接合を強固にする。このナットにはスプリング座金を入れ，締めつけを継続させる。そのため、直立片のボルト孔を長孔にしておき、木軸に切り溝を入れる際は木軸が移動しやすく余裕をもたせる。
【００２０】
なお、土台の木軸の個数にしたがい、直立片のヨコ方向の長さを任意に調整して使用する。
【００２１】
【実施例】
〔直立する木軸に隣接して直交する木軸２個を接合する場合〕
以下、図面にしたがい、本発明の各種接合具を用い木軸を接合する場合についてさらに具体的に説明する。図１には直立する木軸に隣接して直交する木軸２個を接合する場合の接合具を示してある。この接合具の構成は、あらかじめ直立する木軸から、図２に示すごとく、その角部から所定の上下幅で２等辺三角柱を切取り、２個の対角部１と１個の交差部２を形成し、かつ交差する位置関係にある側面を同じ上下幅で金属板の厚さ相当分切取り、これらを被覆する被覆部３と、被覆部３の下端を直角方向に延長した直交部４、および被覆部３と直交部４の両者に接合し、直交する木軸方向に直立する直立部５とからなり、これを図２に示す木軸にあて、木軸の交差部２に相当する被覆部３の部分にあるボルト孔６から木軸の対向位置にある切取られた角部に向けて開けてある貫通孔に対し、ボルトの頭部をボルト孔６にあてて通し、他端をナットで締めつける。
【００２２】
図３に示すごとく、直立部５に対し、切り溝を入れた２個の木軸をそれぞれ嵌合し、ボルト孔６にボルトを通して固定する。２個の木軸間に火打ち梁７をあてて固定するが、火打ち梁７に対してもボルト孔を設けておき、被覆部３固定に使用したボルトの頭部にフックを接合して、これに連結したボルトを通してナットで締めつけ、相互の固定を強固にする。なお、ナットにはいずれもスプリング座金（図示省略、以下同様）を入れ，締めつけを継続させる。
【００２３】
〔水平位置でＴ字状に直交する木軸を接合する場合〕
図４に示すごとく、水平位置でＴ字状に直交する木軸を接合する接合具は、その木軸の両側面および上面を所定幅で接合具の金属板の厚さに相当する深さ、およびこれにボルトの頭部を加えた厚さに相当する深さにそれぞれ切取った部分を被覆するコの字状をなす被覆部３と、被覆部３の一方の下端からこの木軸と接合する他の木軸側に直角方向に両側をそれぞれＬ字形片９の厚さ分拡大した幅で延長した直交部４、および被覆部３の直立部分に接合して、直交部４で直交する木軸方向に直立する直立部５とからなり、被覆部３の両直立面がその延長方向で、接合される木軸の側面よりも外方に突出した突出部８を有している。
【００２４】
Ｔ字状の頭部にあたる木軸に接合具を固定するには、対向する突出部８のボルト孔６間にボルトを通し、ボルトの頭部を非接合面側にあててナットで締めつける。
【００２５】
直交して接合する木軸は、切り溝を入れてから直立部５に嵌合し、直立部５のボルト孔６と、直交する両片にそれぞれボルト孔６を有するＬ字形片９の一方のボルト孔６にボルトを通し、ナットで締めつける。Ｌ字形片９は直交部４の両端に直立している。Ｌ字形片９の他方のボルト孔６には、さきに接合具を固定するために使用した突出部８のボルトを延長して通し、ナットをあてて締めつける。以上のナットにはいずれもスプリング座金を入れ，締めつけを継続させる。なお、木軸の乾燥等による変形に対応させるため、ナットの締めつけを継続させるが、そのため、直立部５のボルト孔を長孔にしておく。
【００２６】
木軸間に火打ち梁７をあてて固定するが、その中心位置にボルト孔を設けておき、突出部８に接合してある有孔突出片１０の孔に対し、ボルトに設けたフックを連結し、他端にナットをあてて締めつけ、嵌合した木軸を継続して引寄せ接合を強固にする。このナットにもスプリング座金を入れ，締めつけを継続させる。
【００２７】
〔十文字に直交する土台と直立する木軸を接合する場合〕
接合具を固定するには、その開口側を上にした厚肉の特殊Ｃ形鋼１１に対し、頂面位置を合わせて２個の所定長さの直交する直立片１２を平行直角となるように交差させ、特殊Ｃ形鋼１１と互いに嵌合させ、一部溶接をおこない固定し、一方の直立片１２の頂部の中央を所定幅で所定長さ延長してある接合具の特殊Ｃ形鋼１１を基礎に設けた複数のアンカ−ボルトにナットで緊締する。直立する木軸はその切り溝を入れた下方を直立片１２に嵌合し、特殊Ｃ形鋼１１の頂面上に載置する。この木軸を固定する際は、木軸の対向する角を切取りそれぞれ交差部２を形成してある交差部間にボルトを通し、ナットで緊締する。したがって、上方に延長部分のある直立片１２のボルト孔６は長孔としておき、ボルトが通過しやすくしておく。
【００２８】
十文字に直交する土台の木軸は、基礎上のボルトで固定されるほか、所定位置に切り溝を入れ直立片１２に嵌合後、各直立片１２のボルト孔６を介し、ボルトおよびナットで固定し、特殊Ｃ形鋼１１に接して載置される。
【００２９】
木軸間に火打ち土台１３をあてて固定するが、その中心位置にボルト孔を設けておき、特殊Ｃ形鋼１１の頂面角部に接合してある有孔突出片１０の孔に対し、ボルト頭部に設けたフックを連結し、他端にナットをあてて締めつけ、土台の木軸を直立する木軸に継続して引寄せ、接合を強固にする。このナットにもスプリング座金を入れ，締めつけを継続させる。なお、以上における火打ち梁７や火打ち土台１３の中心位置を引き寄せるため接合具に接合してある有孔突出片１０、あるいは接合具に使用されるボルト端部のフックはブレ−ス受けも兼用させることができる。
【００３０】
【発明の効果】
本発明の木軸の接合具は複雑な軸組とこれに要する高価な設備をともに使用することなく、接合を極めて経済的に単純におこなうことができ、作業を省力化する。また、かかる接合により凹凸が少なく、パネル類が入れやすく、したがって断熱が得られやすい。なお、寸法の精度が得られやすく、接合作業に格別の技能を要しない。
【図面の簡単な説明】
【図１】  直立する木軸に隣接して直交する木軸２個を接合する場合の接合具を示す説明図である。
【図２】  図１の接合具を取付ける木軸の部分を示す説明図である。
【図３】  直立する木軸に隣接して直交する木軸２個を接合し、火打ち梁を取付けた状態を示す説明図である。
【図４】  水平位置でＴ字状に直交する木軸１個を接合する場合の接合具を示す説明図である。
【図５】  水平位置でＴ字状に直交する木軸１個を接合し、火打ち梁を取付けた状態を示す説明図である。
【図６】  十文字に直交する土台と直立する木軸を接合する場合の接合具を示す説明図である。
【図７】  図６の接合具を拡大して示す説明図である。
【図８】  図６の接合具における特殊Ｃ形鋼の部分を示す説明図である。
【図９】  図６の接合具における上方に延長部分のある直立片を示す説明図である。
【図１０】  図６の接合具おける他方の直立片を示す説明図である。
【図１１】  十文字に直交する土台と直立する木軸を接合し、火打ち土台を取付けた状態を示す説明図である。
【図１２】  図１１における直立する木軸のボルト取付け部分を示す説明図でる。
【符号の説明】
１  対角部
２  交差部
３  被覆部
４  直交部
５  直立部
６  ボルト孔
７  火打ち梁
８  突出部
９  Ｌ字形片
１０  有孔突出片
１１  特殊Ｃ形鋼
１２  直立片
１３  火打ち土台
【図１】
0003940777.tif 000002
【図２】
0003940777.tif 000003
【図３】
0003940777.tif 000004
【図４】
0003940777.tif 000005
【図５】
0003940777.tif 000006
【図６】
0003940777.tif 000007
【図７】
0003940777.tif 000008
【図８】
0003940777.tif 000009
【図９】
0003940777.tif 000010
【図１０】
0003940777.tif 000011
【図１１】
0003940777.tif 000012
【図１２】
0003940777.tif 000013